(57)【要約】 【課題】  遠隔画像診断システムに於いて、本システムに参加するユーザの的確な識別管理を図ること。【解決手段】グループ管理サーバと、異なる国にそれぞれ設置され、かつ、グループ管理サーバの管理下に位置付けられた複数個の会員管理端末と、これらの会員管理端末とグループ管理サーバとを結ぶネットワークとを備えた遠隔画像診断システムに於いて、グループ管理サーバのサーバ記憶部は、国別の前記会員管理端末に関する情報を蓄積した第１ファイルと、識別番号設定手段により、第１ファイルの主データに対応してそれぞれ設定された識別情報を保存する第２ファイルと、会員管理端末は、グループ管理サーバから割り当てられた自己の識別情報を格納する識別情報ファイルと、該識別情報ファイルの識別情報に関連付けられたユーザの情報を蓄積するユーザファイルと、自国に存在する専門医端末に関する専門医ファイルとを有すること特徴とする。【選択図】  図１
2007241589.tif 000002
【特許請求の範囲】
【請求項１】
グループ管理サーバと、異なる国にそれぞれ設置され、かつ、グループ管理サーバの管理下に位置付けられた複数個の会員管理端末と、これらの会員管理端末とグループ管理サーバとを結ぶネットワークとを備えた遠隔画像診断システムに於いて、前記グループ管理サーバのサーバ記憶部は、国別の前記会員管理端末に関する情報を蓄積した第１ファイルと、識別番号設定手段により、第１ファイルの主データに対応してそれぞれ設定された識別情報を保存する第２ファイルと、一方、前記会員管理端末は、グループ管理サーバから割り当てられた自己の識別情報を格納する識別情報ファイルと、該識別情報ファイルの識別情報に関連付けられたユーザの情報を蓄積するユーザファイルと、自国に存在する専門医端末に関する専門医ファイルとを有することを特徴とする遠隔画像診断システム。
【請求項２】
請求項１に於いて、会員管理端末は預託金受付手段を備え、ユーザを会員管理端末に登録する際、会員管理者は、識別情報ファイルに格納されている自己の識別情報を個別的に付した印刷物を発行し、一方、ユーザは会員管理端末に預託金登録することを特徴とする遠隔画像診断システム。
【請求項３】
請求項１に於いて、自国の会員管理端末から他国の会員管理端末に伝送されるユーザの画像情報は、高精度な断層影像であり、該断層影像表示画面には、断層影像と一緒に会員管理端末が付与した個別的識別情報が同時に表示されていることを特徴とする遠隔画像診断システム。
【請求項４】
請求項３に於いて、ユーザの個別的識別情報は、ユーザの氏名・住所を特定できない文字、番号等の符号であることを特徴とする遠隔画像診断システム。
【請求項５】
請求項１に於いて、グループ管理サーバは、前記第１ファイルの主データ及び第２ファイルの識別情報にそれぞれ関連付けられ、かつ、会員管理端末が取り扱った案件データを蓄積する第３ファイルを備えていることを特徴とする遠隔画像診断システム。
【請求項６】
請求項１に於いて、印刷物はカード状の印刷物であり、一側面４５ａには、会員管理端末３のユーザファイル３８に格納されている当該ユーザ８の個別的な識別情報ａと同一の識別情報ａが横一連に付され、一方、印刷物４５の他側面４５ｂには、管理サーバ２の自他役務を示す商標ｂが付されていることを特徴とする遠隔画像診断システム。
【発明の詳細な説明】
【技術分野】
【０００１】
本発明は、グループ管理サーバと、グループ管理サーバの管理下に位置付けられた複数個の会員管理端末との間にネットワークが介在する遠隔画像診断システムに関する。付言すれば、本発明は、患者の疾患の部位や可能性を分析する際に利用される遠隔画像診断システムに関し、特に他国に専門医が存在する場合に支援する遠隔画像診断システムに関する「ビジネスモデル特許」である。
【背景技術】
【０００２】
特許文献１には、「購入者と販売者との取引の仲介を各国に配置された取引管理センタを用いてネットワークを介して行う取引方法において、取引管理センタにて、購入者からの取引仲介要求を受け付けて、当該購入者と販売者の両者に対し取引条件を合意させるステップと、前記取引条件の合意の後、前記購入者からの支払を受け付けて当該取引の決済を行う決済ステップと、前記決済ステップによる決済の後、当該取引に係る商品を購入者へ発送することを前記販売者に要求するステップと、前記購入者から前記取引に係る商品を受領したことを示す受領通知を受け付ける受付ステップと、前記受付ステップによる前記受領通知の受付に応答し、前記販売者が他国に在る場合には、該他国の取引管理センタに対して、前記取引に係る商品の代金を前記販売者に支払うことを要求する制御ステップと、自国の販売者に対する支払要求を他国の取引管理センタから受けた場合、前記販売者に商品の代金を支払うステップと、他国の取引管理センタとの間で、複数の取引についてまとめて精算を行うステップとを備えることを特徴とする取引方法」が、開示されている。
【０００３】
この取引方法は、複数の取引についてまとめて精算を行うので、取引を迅速に処理する、利用者の負担を軽減することができる等の利点を有するものの、各国にそれぞれ独立・別個の取引管理センタを設置するので、会員の識別情報が混同する恐れがある。また、この取引方法は、もっぱら「Ｗｅｂサイト」での公開（電子刊行物）に基づき、かつ、有形の商品の取引対象としたものであるから、個人情報を対象とした役務行為（例えば専門医の診断行為）には適さないと共に、役務行為の内容が秘密を要する場合（特に、患者情報の取り扱い）には適さない。したがって、特許文献１には、役務行為の秘密内容をどのように保護するかについての言及がない。
【０００４】
一方、特許文献２には、役務の提供（例えば電車の利用）を受ける際に、ユーザが携帯端末、券売機等を介して預託金の登録をする事項が開示されている。すなわち、特許文献２には、「券売機と、ユーザ携帯端末と、預託金管理サーバと、改札機システムと、ユーザ携帯端末，預託金管理サーバ，改札機システムを相互に接続するネットワークとを備えた運賃預託管理システムであって、前記預託金管理サーバは、ユーザ毎の預託金の登録を行う手段、改札時に改札機システムが受信したユーザ携帯端末の携帯端末ＩＤを前記預託金管理サーバに送信することで預託金から運賃の精算を行う手段を備えた運賃預託管理システム」が開示されている。
【０００５】
この運賃預託管理システムは、電子マネーで取引する際に、必ずユーザ携帯端末、券売機等を必要とする点で、システムが大掛かりになる、取引が国内に限定される等の問題点がある。また、役務内容が画一的（単に運賃の自動引き落とし）であることから、役務内容に対して高度な判断（例えば専門医の精度の高い診断）が必要な場合には適さない。
【０００６】
ところで、特許文献３や特許文献４には、本発明の医療情報に属するビジネスモデルが記載されている。付言すると、特許文献３には、「カメラで撮影した患者の組織像をダウンコンバータで変換した画質等をシステム制御装置に入力し、該制御装置は、入力部から撮影情報を取得すると、管理サーバ（ホストマシン）を介して、対話端末の表示部（モニタ）に患者の組織像を表示しながら、かつ、同時に音声にて対話処理する診断システム」が記載されている。
【０００７】
また、特許文献４には、「医療機関に設置されるＸＣＴ（Ｘ線コンピュータ断層）装置やＭＲＩ（磁気共鳴イメージング）装置などによる高精細画像検査で得られた臓器や病変の画像情報を、ネットワークを介して遠隔地に伝送し、３次元再構築処理により３次元コンピュータグラフィクス（３次元ＣＧ）表示や実体モデルの生成、手術前シミュレーションを実施する遠隔画像診断システム」に関する事項が開示されている。
【０００８】
これらの文献に記載されている遠隔画像診断システムは、ネットワークを介して、患者の診断を、「専門医」により行うものであるから、専門医が不足している地方病院にとっては非常に有益である。しかしながら、特許文献３は、対話形式にこだわる発明であり、一方、特許文献４は患者の断層画像情報の注目部分の抽出手段にこだわるものであり、ユーザの的確な識別管理、国境を越えた専門医の有効活用、患者に関する個人情報の保護、役務提供後の迅速な処理等を目的とするものではない。
【特許文献１】特開２００２−３１８９８１号公報
【特許文献２】特開２００５−１８２０１号公報
【特許文献３】特開平９−１１７４１７号公報
【特許文献４】特開公開２００５−２７８９９１号公報
【発明の開示】
【発明が解決しようとする課題】
【０００９】
本発明の主たる目的は、遠隔画像診断システムに於いて、本システムに参加するユーザの的確な識別管理を図ること。第２の目的は、国境を越えた専門医の有効活用及び患者に関する個人情報の保護を図ること。第３の目的は、遠隔地にいる専門医から役務の提供（診断結果）を受けた場合には、迅速な決済を実行することである。その他の目的は本発明の限定要件ではない。
【課題を解決するための手段】
【００１０】
本発明の遠隔画像診断システムは、グループ管理サーバと、異なる国にそれぞれ設置され、かつ、グループ管理サーバの管理下に位置付けられた複数個の会員管理端末と、これらの会員管理端末とグループ管理サーバとを結ぶネットワークとを備えた遠隔画像診断システムに於いて、前記グループ管理サーバのサーバ記憶部は、国別の前記会員管理端末に関する情報を蓄積した第１ファイルと、識別番号設定手段により、第１ファイルの主データに対応してそれぞれ設定された識別情報を保存する第２ファイルと、一方、前記会員管理端末は、グループ管理サーバから割り当てられた自己の識別情報を格納する識別情報ファイルと、該識別情報ファイルの識別情報に関連付けられたユーザの情報を蓄積するユーザファイルと、自国に存在する専門医端末に関する専門医ファイルとを有すること特徴とする。
【発明の効果】
【００１１】
（１）会員管理端末は、グループ管理サーバから割り当てられた自己の識別情報を格納する識別情報ファイルと、該識別情報ファイルの識別情報に関連付けられたユーザの情報を蓄積するユーザファイルとを備えているので、本システムを利用するユーザの的確な識別管理を図ることができる。
（２）本発明の第２の目的及び第３の目的を達成するために、例えばＡ国の会員管理端末３に預託金登録４６をしたユーザ（会員・患者）８が、Ｂ国の会員管理端末４に登録している専門医端末７を介して断層影像の分析をして欲しい場合、逆にＢ国の会員管理端末４に預託金登録４６をしたユーザ（会員・患者）９が、Ａ国の会員管理端末３に登録している専門医端末６を介して断層影像の分析をして欲しい場合に於いて、本遠隔画像診断システムは有効的に利用される。
（３）請求項２に記載の発明は、ユーザは会員管理端末に一旦預託金を登録しておけば、専門医による役務の提供を受け、かつ、専門医から対価の請求を受けた場合に於いて、本システムにより自動的に清算されるので、遠隔地（他国）からの対価請求に対する決済が非常に楽である。
（４）請求項３及び請求項４に記載の発明は、該断層影像表示画面には、断層影像と一緒に会員管理端末が付与した個別的識別情報が同時に表示されているので、ユーザ（会員・患者）を間違えることがないと共に、専門医はユーザの個人情報を知ることができない。
（５）請求項５に記載の発明は、案件データを格納する第３ファイルを備えているので、会員管理端末の取引状況を把握することができる。
（６）請求項６に記載の発明は、会員証になると共に、ユーザ自身が視覚により、診断対象の断層影像画面が自己のものであるか否かを確認することができる。また会員証は本システムの宣伝広告機能を発揮する。
【発明を実施するための最良の形態】
【００１２】
以下、図１乃至図９に示す本発明を実施するための最良の形態により説明する。
【００１３】
（１）発明の実施の環境
図１は本発明の全体のシステム構成図である。本発明は、グループ管理サーバと、異なる国にそれぞれ設置され、かつ、グループ管理サーバの管理下に位置付けられた複数個の会員管理端末と、これらの会員管理端末とグループ管理サーバとを結ぶネットワークとを備えた遠隔画像診断システムを前提とする。
【００１４】
図１に於いて、まず、１は属地主義の観点から「統治権を有する国」を意味する。ここでは、一つのグループ管理サーバ２が設置された領土をＣ国、グループ管理サーバ２の管理下に位置付けられた複数個の会員管理端末３、４がそれぞれ配備（設置）された領土を、それぞれＡ国、Ｂ国とする。５はこれらの会員管理端末３、４とグループ管理サーバ２とを結ぶネットワークである。
【００１５】
グループ管理サーバ２は「一つ」であるのに対して、会員管理端３、４等は複数である。なお、図１では、会員管理端３、４は２個であるが、これは説明の便宜上の図示であるから、発明の実施レベルでは国毎に多数存在する。
【００１６】
次に、６はＡ国に存在しかつＡ国の会員管理端末３とネットワーク５を介して接続する単数又は複数の専門医端末である。一方、７はＢ国に存在しかつＢ国の会員管理端末４とネットワーク５を介して接続する単数又は複数の専門医端末である。各国の専門医端末６、７は、それぞれの領土に存在する会員管理端末３、４と本システムに関する契約を結んでいる。したがって、会員管理端末３、４は、自国の専門医端末６、７に関する情報（後述の専門医ファイル３９）をそれぞれ記憶部に格納している。
【００１７】
次に、８はＡ国に住所又は居所を有するユーザ、一方、９はＢ国に住所又は居所を有するユーザである。各ユーザ８、９は、自国の領土内に存在する会員管理端末３、４に対して、所定の手続を条件として「本システムの会員（例えば患者）」になることができる。
【００１８】
ここで「自国」とは、疾患の部位や可能性の分析を依頼する側のユーザ（会員・患者）を基準にした概念である。したがって、例えばＡ国の会員管理端末３、ネットワーク５及びＢ国の会員管理端末４をそれぞれ介してＢ国の専門医端末７によりＡ国の会員８の画像を診断した場合には、当該会員８は自国民、会員管理端末３は自国の端末、会員管理端末４及び専門医端末７はそれぞれ他国の端末ということになる。
【００１９】
（２）グループ管理サーバ２
図２は、グループの管理サーバ２のハードウェア構成図である。この管理サーバ２は、当然のことながら、各国の会員管理端末３、（４…ｎ）からネットワーク５を介して送られてくる信号（情報）を入力する入力部１１、該入力部からの信号を受け取ってサーバ記憶部１３にアクセスし、かつ、サーバ記憶部１３の格納情報を取得して情報を制御するサーバ制御部（中央演算処理部）１２及び出力部１４をそれぞれ有する。出力部１４の信号は、管理サーバ２の表示部（表示画面）１５、ネットワーク５等に出力される。
【００２０】
付言すれば、サーバ制御部１２は、サーバ記憶部１３にＯＳ等の制御プログラム、当該管理システムの仕様の手順を規定したプログラム、及び所要のファィルやデータを格納するための内部メモリを有し、これらのプログラム及び内部メモリに基づいて、検索・蓄積・表示制御・出力制御等の機能１２ａを発揮する。
【００２１】
ここでは、本発明を特定付けるサーバ記憶部１３の格納情報と制御部１２の手段（機能）について説明する。まず、１６は国別の会員管理端末３、（４…ｎ）に関する情報を蓄積した第１ファイルで、該第１ファイル１６に蓄積されている会員管理端末に関する情報（会員管理端末情報）は、いわば「主データ」に相当する。なお、一つの国に複数個の会員管理端末が存在する場合もあり、一方、一つの国に全く会員管理端末が存在しない場合もある。
【００２２】
一方、１７は前記第１ファイル１６の主データと識別番号作成用の計算ソフトを有する制御プログラム１８に基づいて、会員管理端末３、（４…ｎ）に割り当てるための識別番号を設定する識別番号設定手段である。
【００２３】
１９は識別番号設定手段１７によって設定（作成）された識別情報（例えば識別番号）を保存する第２ファイルで、この第２ファイル１９の識別番号は、各国の会員管理端末３、（４…ｎ）に対応付けされていることから、グループの会員管理テーブル（要因コードテーブル）となる。
【００２４】
ここで、図３を参照にして、識別番号設定手段１７が制御プログラム１８によって第２ファイル１９の会員管理テーブルを作成する場合（第１ファイル１６と第２ファイル１９の相互関係）について説明する。
【００２５】
図３に於いて、サーバ制御部１２は、制御プログラム１８に基づき、例えばマトリックス状の表形式のソフトにより、列（縦）と行（横）の識別数（番地数）を四則計算する機能を有する。付言すれば、サーバ制御部１２は、列ラインと行ラインの番地の総和（トータル、所定範囲）を決める。
【００２６】
そこで、第１ファイル１６は、各国の会員管理端末３、（４…ｎ）の主データを格納する記憶領域であることから、国家名、都市名等の地理的名称に基づいた要因コード２１と該要因コード２１にそれぞれ対応するポインタ領域２２を有している。
【００２７】
前記各端末に個別的に付された要因コードは、例えばＡ国の管理端末３の要因コードａ０１から他国の管理端末の最終要因コードｎ０１まで存在する。付言すると、Ａ国が日本である場合には、要因コードａ０１は日本国に配備された少なくとも一つの会員管理端末３である。また、要因コードｂ０１は上海或いは中国に配備された少なくとも一つの会員管理端末４である。さらに、要因コードｃ０１はフイリピンに配備された一つの会員管理端末である。以下、同様である。これらの要因コードのそれぞれポインタ領域ａ０１乃至ｎ０１を利用して各国の会員管理端末に送信するための識別情報を作成する。
【００２８】
すなわち、グループ管理サーバ２は、例えばＡ国の管理端末３に対して、識別情報を割り当てようとする場合には、前記ａ０１のポインタ領域を指定し、かつ、所定範囲を指定する。しかして、サーバ制御部１２の識別番号設定手段１７は、操作者の操作により、入力部１１から前記ａ０１のポインタ領域を指定する信号、次に所定範囲を指定する信号、さらに所定範囲を決定した信号等を取得すると、制御プログラム１８に基づき、かつ、第１ファイル１６の主データに対応してグループの会員管理テーブル２３を作成する。
【００２９】
このように作成されたグループの会員管理テーブル２３は、第２ファイル１９に一時的に格納・保存された後、出力部１４及びネットワーク５を介してＡ国の管理端末３に対して送信される。以下、Ｂ国、Ｃ国等の管理端末３に対する識別情報の割り当ても同様である。
【００３０】
さらに、管理サーバ２の記憶部１３は、各国の管理端末３、（４…ｎ）の役務に関する案件処理情報を格納する第３ファイル２０を有している。この第３ファイル２０は、第２ファイル１９の副データ（割り当てた識別番号）及び前記第１ファイルの主データ（会員管理端末）にそれぞれ関連付けられ、かつ、会員管理端末が取り扱った案件データを蓄積する。
【００３１】
例えば図１を参照にすると、自国の会員８が他国の会員管理端末４に登録してある専門医端末７を介して実行された役務の提供（例えば会員８の断層影像についての分析）に基づく対価の請求は、いわば支配下にある管理端末別に派生する情報であるが、本実施例では、少なくとも役務を提供した専門医端末７に対してお金、ポイント、会員端末の仲介料、管理サーバに対する管理料等を支払ったか否かを確認する意味で、会員管理端末が取り扱った案件データを第３ファイル２０としてサーバ記億部１３に格納している。
【００３２】
したがって、グループ管理サーバ２のサーバ記憶部１３は、国別の会員管理端末３、（４…ｎ）に関する情報を蓄積した第１ファイル１６と、識別番号設定手段１７により、第１ファイル１６の主データ（会員管理端末）に対応してそれぞれ設定された識別情報（会員管理テーブル２３）を保存する第２ファイル１９と、該第２ファイル１９の識別情報及び前記第１ファイルの主データにそれぞれ関連付けられ、かつ、会員管理端末が取り扱った案件データを蓄積する第３ファイル２０を備え、前記第２ファイル１９の識別情報を、必要とする支配下の会員管理端末に配布（例えば送信）する。
【００３３】
（３）会員管理端末３、（４…ｎ）
図４は、会員管理端末のハードウェア構成図である。会員管理端末３、（４…ｎ）も、管理サーバ２と同様に、入力部３１、制御部３２、各種のファィルを記憶領域に格納する記憶部３３、出力部３４及び表示部３５を有する。そして、前記記憶部３３には、識別情報ファイル３６、預託金管理ファイル３７、ユーザファイル３８、専門医ファイル３９、案件ファイル４０等の必要なファイルが制御プログラム４１と共に格納されている。
【００３４】
また、前記制御部３２は、記憶部３３にＯＳ等の制御プログラム、当該会員管理システムの仕様の手順を規定したプログラム、及び所要のファィルやデータを格納するための内部メモリを有し、これらのプログラム及び内部メモリに基づいて、検索・蓄積・表示制御・出力制御等の機能３２ａを発揮する。また、制御部３２は預託金受付け手段４２を有し、該預託金受付け手段４２はユーザの登録時に「暗証番号」を設定する際に利用される。
【００３５】
さて、前述したように、各国の会員管理端末３、（４…ｎ）は、管理サーバ２から割り当てられた識別情報をそれぞれ受け取る。ここでは、図４で示す会員管理端末３を参照にして説明する。なお、他国の会員管理端末４も同様の構成である。
【００３６】
会員管理端末３は、ネットワーク５、入力部３１を介して自己の識別情報を取得すると、自動的に識別情報ファィル３６に識別情報を格納する。識別情報ファィル３６の形式は、枝葉（シート）状である。もちろん、会員管理端末３は、その後に識別情報ファィル３６の形式を使い易いように編集することができる。
【００３７】
預託金管理ファイル３７には、自国のユーザ８の預託金の管理に関する情報（金額の増減）が格納されている。この預託金管理ファイル３７の情報（例えば更新情報）は、本実施例では、会員管理端末３が配布するカード状の印刷物に関連付けられている。
【００３８】
すなわち、図１で示すように、自国のユーザ８を会員として登録する際、会員管理者は、その識別情報ファイル３６に格納されている自己の識別情報を個別的に付したカード状の印刷物４５を発行し、一方、ユーザ８は会員管理端末に預託金登録４６することを条件として、本システムの役務の提供（遠隔画像診断システムによる専門医の診断）を受けることができる。
【００３９】
図５を参照にして、識別情報ファイル３６の識別情報の一つに関連付けられたユーザファイル３８の内容を説明する。本実施例では、ユーザファイル３８には、会員管理端末から設定された個別的な識別番号ａの他、氏名、住所、診断医としての専門医、診断依頼日、診断結果等がそれぞれ設定されている。前記個別的な識別番号ａは、例えば識別情報ファイル３６の識別情報が「０００００００９６０」である場合には、同様に「０００００００９６０」である。
【００４０】
一方、カード状印刷物４５も前記「０００００００９６０」が付されている。ここで、図６を参照にして、携帯印刷物の一例であるカード状印刷物４５について説明する。カード状印刷物４５は、透明の扁平状収納袋４７に差込み自在に収納される。
【００４１】
しかして、前記印刷物４５の一側面４５ａには、会員管理端末３のユーザファイル３８に格納されている当該ユーザ８の個別的な識別情報ａと同一の識別情報ａが横一連に付されている。つまり、印刷物４５の一側面４５ａには、「０００００００９６０」が付されている。一方、印刷物４５の他側面４５ｂには、管理サーバ２の自他役務を示す商標ｂが付されている。
【００４２】
専門医ファイル３９には、医療機関に設置されるＸＣＴ（Ｘ線コンピュータ断層）装置、陽電子放射線断層撮影装置（ＰＥＴ）、その他の断層撮影装置やＭＲＩ（磁気共鳴イメージング）装置などによる高精細画像検査で得られた臓器や病変の画像情報に対して、疾患の部位や可能性を分析する能力を有する専門医の情報が格納されている。望ましくは、専門医端末６は自国の会員管理端末６（７）と契約した契約専門医である。もちろん、グループ管理サーバ１と専門医端末６との間で契約をすることもできる。
【００４３】
契約専門医は、本システムを介して患者の診断依頼を受けた場合には、専門医端末を介して断層影像の分析をし、かつ、結果報告をする。例えば図１に於いて、Ａ国の会員管理端末３に預託金登録４６をしたユーザ（会員・患者）８が、Ｂ国の会員管理端末４に登録している専門医端末７を介して断層影像の分析をして欲しい場合、逆にＢ国の会員管理端末４に預託金登録４６をしたユーザ（会員・患者）９が、Ａ国の会員管理端末３に登録している専門医端末６を介して断層影像の分析をして欲しい場合に於いて、本遠隔画像診断システムは有効的に利用される。
【００４４】
すなわち、専門医が視覚で見ることができるユーザの画像情報５０は、例えば図７で示すように、高精度な断層影像であり、専門医端末７の表示部の断層影像表示画面６ａ（７ａ）には、該断層影像５０ａと一緒に個別的識別情報ａが表示される。付言すれば、当該断層影像表示画面７ａ（６ａ）には、ユーザ（会員・患者）の氏名、住所等の個人情報は表示されていない。前述したように、ユーザの個別的識別情報ａは、ユーザの氏名・住所を特定できない文字、番号等の符号である。したがって、診断結果も前記個別的識別情報ａを利用してなされる。なお、ここで「断層影像」には、レントゲン影像も含まれるものとする。
【００４５】
（４）フローチャートの１
図８は、管理サーバ２から管理端末まで処理を示す。ステップＳ１０１は管理サーバ２が識別情報を割り当てる会員管理端末を決定する段階である。ステップＳ１０２は管理サーバ２が決定した会員管理端末にコード（要因コード２１、ポインタ領域２２）を付して第１ファイル１６に格納する段階である。
【００４６】
ステップＳ１０３はコードを付した会員管理端末に対して識別情報の割り当て範囲を決定する段階である。ステップＳ１０４は第２ファイルに会員管理端末のコードに関連付けられた所定範囲の識別情報をグループのテーブル情報として格納する段階である。
【００４７】
ステップＳ１０５は第２ファイルに格納されているテーブル情報に基づいて、会員管理端末に対して識別情報を送信する段階である。ステップＳ１０５は会員管理端末がネットワーク５を介して管理サーバから割り当てられた前記識別情報を自己の識別情報ファイル３６に格納する段階である。
【００４８】
（５）フローチャートの２
図９は、管理端末の主な処理を示す。ステップＳ２０１は、本システムを宣伝広告して専門医の情報を収集し、信頼を持てる専門医を発見・発掘した場合には、専門医契約をした後に自国の会員管理端末に専門医端末登録をする。この専門医端末登録はいつでも可能である。
【００４９】
次に、ステップＳ２０２は会員管理端末にユーザを登録する段階であるが、本実施例では、誰もが自由に登録できるのではなく、自国のユーザを会員管理端末に登録する際、会員管理者は、識別情報ファイル３６に格納されている自己の識別情報を個別的に付したカード状の印刷物４５を発行し、一方、ユーザは会員管理端末に預託金登録する。そこで、ステップＳ２０３は預託金登録したユーザの個人情報と前記印刷物４５に付した識別情報を関連付けて、ユーザファイル３８に個人情報（患者情報）を格納する段階である。
【００５０】
次に、ステップＳ２０４は、自国のユーザが他国に存在する専門医の分析・判断を所望する場合に於いて、ユーザの画像情報５０を自国の会員管理端末に取り込み、該画像情報５０に当該ユーザの識別情報ａを付した上で、ネットワーク５を介して他国の会員管理端末に伝送する段階である。この場合、例えば特許文献３に記載しているように、高精度な断層影像を圧縮して伝送する。もちろん、該画像情報５０と共に音声を符号化して音声情報と共に伝送しても良い。
【００５１】
次に、ステップＳ２０５は、他国の専門医端末が他国の会員管理端末を介して取得した画像情報を、専門医端末にて表示する段階である。専門医端末の断層影像表示画面には、断層影像と一緒に個別的識別情報が表示されるが、ユーザの氏名・住所等の個人情報は全く表示されない。
【００５２】
次に、ステップＳ２０６は診断結果を送信する段階である。他国の専門医が判断した診断結果は、例えば他国の会員管理端末、ネットワーク５を介して診断を依頼した自国の会員管理端末へと送られてくる。そこで、各会員管理端末は案件ファィルに取引情報を格納して、かつ、案件ファィルの前記情報に関する決済等の情報を、ネットワーク５を介して管理サーバ２に送信される。なお、前記決済等は識別情報ａと預託金管理ファィル３７の情報に基づき処理される。
【実施例】
【００５３】
発明の実施の形態で示した実施例に於いて、サーバ制御部１２は、制御プログラム１８に基づき、例えばマトリックス状の表形式のソフトにより、列（縦）と行（横）の識別数（番地数）を四則計算する機能を有する旨を説明した。
【００５４】
しかし、この表形式のソフトは一例である。例えば会員登録端末に割り当てる識別情報をノード（座標点）とリンク（起算点としての一つの座標点と区切り点としての他の座標点の間に含まれる座標点の数情報）に基づいて作成され得る割り当て情報としても良い。
【００５５】
付言すれば、会員登録端末に割り当てる識別情報が「特定のノードを含む複数個の番地情報」である場合には、サーバ制御部１２の識別番号設定手段１７は、第１ファイル１６の主データに対応してノード（座標点）を特定し、所要数のリンクを引き出して第２ファィル１９に格納すべき割り当て識別情報を作成することができる。
【産業上の利用可能性】
【００５６】
本発明は、主に遠隔画像診断システムを支援する業界で利用される。
【図面の簡単な説明】
【００５７】
図１乃至図９は本発明の最良の実施例を示す各説明図。
【図１】本発明の全体のシステム構成図。
【図２】グループの管理サーバのハードウェア構成図。
【図３】第１ファイル１６と第２ファイル１９の相互関係についての説明図。
【図４】会員管理端末のハードウェア構成図。
【図５】ユーザファイルの内容を示す説明図。
【図６】会員管理端末側が発行する印刷物の一例を示す説明図。
【図７】専門医端末にて表示する断層影像表示画面の一例を示す説明図。
【図８】管理サーバから管理端末まで処理を示すフローチャートの１。
【図９】管理端末の主な処理を示すフローチャートの２。
【符号の説明】
【００５８】
1…国、２…グループの管理サーバ（管理サーバ）、３、４…各国の会員管理端末、５…ネットワーク、６、７…各国の専門医端末、８、９…各国のユーザ、１１…入力部、１２…制御部、１３…記憶部、１４…出力部、１６…第１ファイル、１７…識別番号設定手段、１８…制御プログラム、１９…第２ファイル、２０…第３ファイル、２１…要因コード、２３…会員管理テーブル、３６…識別情報ファイル、３７…預託金管理ファイル、３８…ユーザファイル、３９…専門医ファイル、４０…案件ファイル、４１…制御プログラム、４２…預託金受付け手段、４５…印刷物、４６…預託金登録、５０…ユーザの画像情報、５０ａ…断層影像、ａ…個別的な識別番号。
【図１】
2007241589.tif 000003
【図２】
2007241589.tif 000004
【図３】
2007241589.tif 000005
【図４】
2007241589.tif 000006
【図５】
2007241589.tif 000007
【図６】
2007241589.tif 000008
【図８】
2007241589.tif 000009
【図９】
2007241589.tif 000010
【図７】
2007241589.tif 000011